(57)【要約】【課題】従来のユーザ位置検出技術では、赤外線リモコン信号の入射方向を検出して擬似的にユーザのいる方向を検出し、自動的に様々な機器制御を行うが、赤外線リモコン信号の反射光の影響による誤動作を避けられない場合がある。【解決手段】赤外線リモコン送信機１からの赤外線変調パルス信号を受光する光学レンズ２と、光学レンズ２が集光する赤外線変調パルス信号の受光強度分布を検出する受光素子３と、受光強度分布を統計処理し最大強度の結像位置に基づき赤外線変調パルス信号が入射する方向を検出する方向検出手段４とを備え、赤外線リモコン送信機の送信特性を無指向性にし、かつ受光強度が一番強いものを直接光と判定することで、反射光の影響を排除した精度の高いユーザ位置検出が可能になる。【選択図】図１
2007013536.tif 000002
【特許請求の範囲】
【請求項１】
赤外線リモコン送信機からの赤外線変調パルス信号を受光する光学レンズと、前記光学レンズが集光する赤外線変調パルス信号の受光強度分布を検出する受光素子と、前記受光強度分布を統計処理し最大強度の結像位置に基づき前記赤外線変調パルス信号が入射する方向を検出する方向検出手段とを備えたリモコン方向検知装置。
【請求項２】
前記受光素子は、赤外線を検出する素子を二次元マトリクス状に複数個配置した構成であり、左右方向および上下方向の二次元空間の各ポイントの赤外線受光強度を検出することを特徴とする請求項１に記載のリモコン方向検知装置。
【請求項３】
前記受光素子は、赤外線を検出する素子を左右方向および上下方向に走査して受光を行い、左右方向および上下方向の二次元空間の各走査位置での赤外線受光強度を検出することを特徴とする請求項１に記載のリモコン方向検知装置。
【請求項４】
前記方向検出手段は、前記統計処理において光学レンズの歪みや収差の補正を加えることを特徴とする請求項１〜３のいずれかに記載のリモコン方向検知装置。
【請求項５】
請求項１に記載のリモコン方向検知装置と、水平方向または垂直方向またはその両方向に少なくとも画面部分を回動させる方向制御手段とを備え、前記リモコン方向検知手段によって検出された方向に画面部分が向くように制御することを特徴とする映像表示装置。
【請求項６】
請求項１に記載のリモコン方向検知装置と、水平方向または垂直方向またはその両方向に画面の指向特性を制御する指向性制御手段とを備え、前記リモコン方向検知手段によって検出された方向に基づいて画面の指向特性を制御することを特徴とする映像表示装置。
【請求項７】
前記赤外線リモコン送信機の赤外線変調パルス信号の指向性を照射方向の範囲で一定としたことを特徴とする請求項５または６に記載の映像表示装置。
【請求項８】
前記リモコン方向検知装置に備えられた受光素子の出力信号から前記赤外線変調パルス信号を復調する復調手段を備え、前記復調手段はさらに方向検出手段から得られた方向情報を用いて直接光のみで復調処理を行うことを特徴とする請求項５または６に記載の映像表示装置。
【発明の詳細な説明】
【技術分野】
【０００１】
本発明は、赤外線リモートコントロール（以下リモコン）送信機を用いて機器制御を行う映像表示装置に関するものである。
【背景技術】
【０００２】
最近の家電製品には、ユーザが機器の制御を行うためのリモートコントロール（以下リモコン）送信機が装備されていることが多い。このリモコン送信にも様々な方法があるが、一般的に用いられているのは搬送波に制御信号を変調して赤外線で送信する赤外線リモコン送信方式である。この赤外線リモコン送信機は多くの家電機器で用いられており、例えばテレビジョン受信機においても、赤外線リモコン送信機を用いて電源のＯＮ／ＯＦＦ、選局、音量、画質や音質の設定など、機器制御のための設定パラメータをユーザが任意に調整することが可能である。
【０００３】
一方、テレビジョン受信機の表示デバイスに関しては、最近では従来のブラウン管を用いた受信機だけでなく、奥行きがブラウン管に比べて極めて薄いプラズマディスプレイ、液晶パネル、有機ＥＬパネルなどの表示デバイスを用いた薄型テレビジョン受信機や、スクリーンの後方から映像を投射する、比較的奥行きの短いリアプロジェクション型テレビジョン受信機が普及し始めている。
【０００４】
これらの薄型テレビジョン受信機の中で、液晶パネル型テレビジョン受信機やリアプロジェクション型テレビジョン受信機においては、液晶デバイスや投影スクリーンの特性上、ブラウン管に比べて視野角が狭く、画面の真正面から視聴する場合は良好な視聴が可能でも、視聴位置が画面正面から外れて左右方向から画面を斜めに視聴した場合、画面輝度が急に落ちて画面が暗くなってしまう場合が多い。
【０００５】
このような視野角が狭いテレビジョン受信機で映像を視聴する場合、良好に視聴できる範囲が画面の真正面方向など特定の範囲に限られており、良好な視聴をするためには画面の向きをユーザが視聴している方向、つまりユーザの真正面方向に調整しなければならないが、従来はユーザが視聴位置からテレビジョン受信機の場所まで移動して自分で画面の向きを調整しなければならないという煩わしさがあった。
【０００６】
また過去に筐体を左右方向に動かすためのボタンをリモコンに搭載し、ユーザがこのボタンを押すことで画面の向きを任意の方向に調整することができるテレビジョン受信機が製品化されていたが、この場合においても、特別なリモコン操作でユーザに画面の向きを調整させるという手間を強いることになる。
【０００７】
このユーザの手間を解消して操作性を向上するには、画面の向きをユーザがいる方向に調整するという作業を自動化する必要があるが、そのためにはテレビジョン受信機などの映像表示装置から見てユーザがどの方向にいるのかを判定する必要がある。映像表示装置から見たユーザの相対的な方向がわかれば、その方向に画面の向きを自動調整すればよい。
【０００８】
このユーザの位置を判定する手法の一つとして、ユーザが操作する赤外線リモコン送信機からの赤外線リモコン信号の入射方向を判定するという方法がある。赤外線リモコン送信機はユーザが手に持って操作するものであるため、赤外線リモコン送信機はユーザの近傍に位置し、赤外線リモコン送信機からの赤外線リモコン信号がどの方向から映像表示装置に入射するかを検出することで、擬似的にユーザの位置する方向を検出することが可能である。
【０００９】
この赤外線リモコン送信機の位置を検出してユーザ位置を特定する従来技術の一例（例えば特許文献１）を、図面を参照しながら説明を行う。
【００１０】
図７において、１０１は赤外線リモコン送信機であり、ユーザが機器制御のためにボタンを操作した際の制御内容をあらかじめ定められたパルスに変調し、特定の周波数の搬送波に多重して、赤外線を用いて赤外線変調パルス信号ａを送信する。１０２は光学レンズであり、赤外線リモコン送信機１からの赤外線変調パルス信号ａを光学的に収束し、次段の受光素子１０３に導く。
【００１１】
この受光素子１０３は、赤外線受光セルが縦と横の二次元的にマトリクス配置された構成であり、光学レンズ１０２で収束した赤外線変調パルス信号を受光する。その際、赤外線リモコン受信機１１３から見て水平方向および垂直方向の二次元空間において各ポイントでの受光強度を検出して受光信号ｂを出力する。この光学レンズ１０２と受光素子１０３は複数個装備されている。
【００１２】
１０９は位置検出回路であり、複数の受光信号ｂの情報を用いて赤外線リモコン送信機１０１の赤外線リモコン受信機１１３から見た相対位置を検出して位置情報ｅを出力する。１１０は復調回路であり、受光信号ｂを復調して機器を制御するための復調信号ｄを出力する。
【００１３】
１１１は制御回路であり、位置情報ｅと復調信号ｄを用いて、制御対象を制御するための制御信号ｆを出力する。１１２は制御対象であり、制御回路１１１からの制御信号ｆを用いて様々な機器制御を行う。この制御対象１１２は制御機器によっては複数個配置される場合がある。
【００１４】
また、前記光学レンズ１０２、受光素子１０３、位置検出回路１０９、復調回路１１０で構成されるものが赤外線リモコン受信機１１３であり、前記制御回路１１１、制御対象１１２で構成されるものが制御装置１１４である。
【００１５】
このような構成により、ユーザが操作した赤外線リモコン送信機からの赤外線変調パルス信号が赤外線リモコン受信機から見てどの方向から照射されたかを検出して、様々な機器制御に応用することを可能とする。
【特許文献１】特開２００１−１９７５７７号公報
【発明の開示】
【発明が解決しようとする課題】
【００１６】
しかしながら上記のような従来技術に係る構成では、赤外線リモコン送信機からの赤外線変調パルス信号が直接赤外線リモコン受信機に到達する場合だけでなく、赤外線変調パルス信号が何らかの物体に当たって反射し、直接光と共に反射光も赤外線リモコン受信機に入射するような場合には、反射光の方を赤外線リモコン送信機の方向であると誤判定してしまい、制御対象が誤動作してしまう場合がある。
【００１７】
本発明は、係る場合であっても、直接光と反射光の区別を明確にすることができ、反射光による誤動作を防止することを目的とするものである。
【課題を解決するための手段】
【００１８】
上記課題を解決するために、本発明のリモコン方向検知装置は、赤外線リモコン送信機からの赤外線変調パルス信号を受光する光学レンズと、前記光学レンズが集光する赤外線変調パルス信号の受光強度分布を検出する受光素子と、前記受光強度分布を統計処理し最大強度の結像位置に基づき前記赤外線変調パルス信号が入射する方向を検出する方向検出手段とを備えたものである。
【００１９】
さらに、当該リモコン方向検知装置と、水平方向または垂直方向またはその両方向に少なくとも画面部分を回動させる方向制御手段、あるいは、画面の指向特性を制御する指向性制御手段とを備え、前記リモコン方向検知手段によって検出された方向に画面部分が向くように制御する、あるいは、画面の指向特性を制御する映像表示装置としたものである。
【００２０】
また好ましくは、赤外線リモコン送信機の赤外線変調パルス信号の指向性を照射方向の範囲で一定としたものである。
【発明の効果】
【００２１】
本発明のリモコン方向検知装置によれば、赤外線リモコン送信機から送信された赤外線変調パルス信号の入射方向を検出することで反射光の影響を受けずにユーザがいる方向を特定することができ、当該リモコン方向検知装置を備えた映像表示装置は、ユーザが映像を視聴しやすいようにユーザがいる方向に画面の向きや特性を自動的に、かつ誤動作が少なく調整することができる。これにより視野角が狭い表示デバイスを用いた映像表示装置であっても、良好な視聴状態を実現することが可能である。
【発明を実施するための最良の形態】
【００２２】
以下、本発明のリモコン方向検知装置およびそれを備えた映像表示装置の実施形態の一例について、図面を参照しながら説明する。
【００２３】
（実施の形態１）
図１は本発明の実施の形態１における映像表示装置の構成を示すブロック図である。以下、本実施の形態１において、本発明の構成と動作を具体的に説明する。
【００２４】
図１において、赤外線リモコン送信機１において、ユーザが機器の操作を行うために送信機上に設置された押しボタンを押すと、その操作内容に該当する制御コードがパルス状に変調される。この変調パルス信号は特定の周波数の搬送波に重畳され、最終的に赤外線を用いて送信機先端の送信部分から赤外線変調パルス信号ａとして送信される。
【００２５】
光学レンズ２は、赤外線リモコン送信機１からの赤外線変調パルス信号ａを光学的に収束させて受光素子３へと導く。
【００２６】
受光素子３は、赤外線変調パルス信号ａを受光して赤外線信号を電気信号に変換する受光セルがＭ×Ｎ個の二次元マトリクス状に配置（但しＭ、Ｎは正の整数）された構成である。かつ各受光セルはセル毎にその受光強度を測定することが可能であるので、赤外線変調パルス信号ａを受光した際には図２に示すような二次元領域での各セルの受光強度特性を測定することが可能である。このようにして得られた測定結果を受光信号ｂとして出力する。
【００２７】
方向検出手段４は、受光素子３からの受光信号ｂを用いて、受光強度分布を統計処理して最大強度の結像位置を求める。この統計処理は単に全セル内の受光強度が最大となる部分を求めてもよく、また、２次元正規分布やその他の統計的分布を仮定して、その山が最大となる点を推定してもよい。これにより、最大強度の位置と光学レンズ２との位置関係から、水平方向および垂直方向の二次元範囲内での直接光の入射方向を判定することで赤外線リモコン送信機１の方向を検出して方向情報ｃを出力する。
【００２８】
方向制御手段５は、方向情報ｃから得られた赤外線リモコン送信機１の方向に向けて、モータやアクチュエータなどを用いて映像表示装置の画面もしくは映像表示装置全体を動かし、画面がユーザに正対するように画面の方向を調整する。なお、その調整方向は水平方向または垂直方向の一方、あるいは双方とも制御できるようにする。
【００２９】
復調手段６は、受光素子３からの受光信号ｂを復調し、機器制御のための制御コードである復調情報ｄを出力する。システム制御手段７は、復調手段６からの復調情報ｄを用いて、ユーザが操作した機器制御内容通りに機器の制御を行う。
【００３０】
以上のように構成されたリモコン方向検知装置を備えた映像表示装置について、その動作を説明する。
【００３１】
前述したように、液晶パネルやリアプロジェクションなど、視野角の狭い表示デバイスを用いた映像表示装置においては、良好な視聴状態を得るためにはユーザに対する映像表示装置の画面の向きが非常に重要となる。これらの表示デバイスは、画面が少しでも傾いた状態で視聴すると画面の表示輝度が急激に低下してしまい、良好な視聴ができなくなる。そのためユーザには、常にユーザに対して画面が正対するように画面の向きを調整するという手間を強いられる。
【００３２】
この手間を簡略化するための従来技術では、赤外線リモコン送信機からの直接光だけだと所望の効果を得ることができるが、赤外線リモコン受信機の周辺に赤外線を反射する物体があった場合、赤外線リモコン信号がその物体で反射して、反射光が赤外線受信機に入射することになる。その一例を図３に示すような位置関係を例にとって説明する。
【００３３】
図３において、映像表示装置８に本発明のリモコン方向検知装置１５が取り付けられている。赤外線リモコン送信機１より発信された赤外線変調パルス信号は直接光ｇとしてリモコン方向検知装置１５に入射する。一般にユーザは赤外線リモコン送信機１を映像表示装置８に向けて操作動作を行い、ユーザのいる方向は赤外線リモコン送信機１と概略同一方向とみなせるので、映像表示装置８を内蔵する方向制御手段５により図中の矢印の方向に制御すればよい。
【００３４】
しかしながら、図示するように家具や壁などの赤外線反射媒体１６が近傍にある状態で赤外線を発信すると、赤外線変調パルス信号の一部が赤外線反射媒体１６に反射して反射光ｈとして直接光ｇとほぼ同時にリモコン方向検知手段１５に入射される。つまり、リモコン方向検知手段１５は異なる２方向の赤外線を受信することとなる。
【００３５】
一般に直接光に対し反射光は、発光位置から受光位置まで距離が大きく、かつ、赤外線信号が何かに反射した場合、反射することで必ず信号強度は減衰する、つまり反射率が１００％未満となることより、受光強度は必ず小さなものとなる。その状況を模式的に示したものが図４である。
【００３６】
図４は、赤外線変調パルス信号を受光して赤外線信号を電気信号に変換する受光セルがＭ×Ｎ個の二次元マトリクス状に配置（但しＭ、Ｎは正の整数）された受光素子３における直接光と反射光が異なる方向から入射した場合の二次元領域での各セルの受光強度特性を図示している。
【００３７】
図に示すように、光学レンズ２を通して集光され受光素子３上で２次元的に結像しているので、異なる方向から入射された赤外線は異なるセル上で集光されることとなり、受光強度分布としては２つの山を持ったものとなる。係る場合は、上述したように、反射光の強度は直接光の強度より一般的に小さなものとなるので、この分布上の２つの山の高さは直接光が高く反射光が低くなっている。
【００３８】
方向検出手段４は、受光素子３からの受光信号ｂを用いて、図４で示された受光強度分布を統計処理して最大強度の結像位置を求める。本実施形態の場合は図４の直接光と矢印で示す位置が最大強度となる部分である。最大強度の位置を求められれば、光学レンズ２の結像位置に受光素子３が設置されておれば、ガウス光学の範囲においては物面にある光源の位置は、その像の位置とレンズの光軸とを結んだ直線上にあることが分かるので、これにより赤外線リモコン発信機１のある方向を検出することができる。方向検出手段４はこのように検出した方向を方向情報ｃとして出力する。
【００３９】
なお、光学レンズ２は１枚の凸レンズで構成した例を示しているが、組みレンズや反射鏡を用いたものであっても、赤外線を集光するものであれば本発明における光学レンズであるとする。この光学レンズ２は焦点距離を短くしておけば、光学レンズ２と受光素子３の距離を小さくできるとともに、焦点深度を深くすることができる。
【００４０】
次に、方向制御手段５が方向情報ｃから得られた方向に向けて、モータやアクチュエータなどを用いて映像表示装置８を動かす。上記のように検出した方向は図３における直接光ｇの方向であるので、反射光が異なる方向から入射されていても、図３に示す矢印の方向に映像表示装置８は方向を変え、破線に示す位置、即ち、画面がユーザに正対するように画面の方向を調整することとなる。
【００４１】
本発明のリモコン方向検知装置は異なる方向から複数の赤外線の入射があっても、受光強度分布を検出して、そのデータから統計処理で直接光の方向が検出することができるので、以上のような構成と動作により、反射光の影響を受けずに誤動作の少ないユーザ位置検出が可能になり、画面の向きを自動的にユーザの方向に調整することのできる映像表示装置を提供することができる。
【００４２】
なお、本実施の形態においては、赤外線リモコン送信機からの赤外線変調パルス信号の入射方向を検出するために、受光セルが二次元的にマトリクス配置された構成の受光素子を用いた場合を示したが、この受光素子として単一の受光セルを機械的、もしくは電気的にその方向を上下、左右に走査する構成の受光素子を用いてもよい。このように受光セルを走査することで、一つの赤外線信号しか受信できない単一受光セルであっても、上下、左右の二次元範囲での赤外線受信強度の測定を行うことが可能である。
【００４３】
また。本実施の形態においては、ユーザの方向検出後の画面調整に、モータやアクチュエータを用いて物理的に映像表示装置の画面もしくは映像表示装置全体の向きを調整する例を示したが、表示デバイスによっては映像表示の指向方向や指向角度などの指向特性を電気的に制御できるものがある。そのような指向特性制御型の表示デバイスを用いた場合の画面制御については、方向制御手段により画面を物理的に動かすのではなく、それにかわって水平方向または垂直方向またはその両方向に画面の指向特性を制御する指向性制御手段を備えて、リモコン方向検知手段によって検出された方向に基づくユーザの位置情報を用いて画面の指向特性を最適に制御し、ユーザが良好な視聴状態を得られるようにすることもできる。
【００４４】
また、本実施の形態においては、赤外線リモコン送信機からの赤外線変調パルス信号を受信する際に、光学レンズで光学的に収束させてから受光素子で受信していたが、この光学レンズの特性によっては歪みや収差が発生してしまう場合がある。特にユーザ位置の検出範囲を広げるために広角レンズを用いた場合には、一般的に周辺部分で屈折異常による歪みや収差が発生してしまう傾向にある。本発明でこのような歪みが発生すると、映像表示装置の正面からかなり離れた位置、例えば画面に対して右や左にかなり偏った位置から赤外線リモコンを操作した場合、光学レンズの周辺歪みにより方向検出に誤差が生じ、正確にユーザの方向を検出することが困難になる。
【００４５】
そこで係る場合には、この光学レンズの周辺歪みを方向検出手段の統計処理において補正することが好ましい。あらかじめ光学レンズの周辺歪みの特性を解析しておき、そのデータにしたがって方向検出手段で受光素子からの受光信号の補正処理を行う。このような方法で方向検出を行うことにより、光学レンズの周辺歪みの影響を排除することが可能となる。係る効果としては上記と同等、もしくは光学レンズの歪み要因を排除することにより、更に高精度なユーザ位置検出結果が得られる。
【００４６】
なお、以上の説明では、映像表示装置の一例として薄型表示デバイスを用いたテレビジョン受信機について説明したが、映像を表示する画面を有し、ユーザが赤外線リモコン送信機を用いて機器制御を行う構成の機器であれば、すべて上記と同様の効果を得ることができる。
【００４７】
（実施の形態２）
本実施の形態においては、本発明が目的とする反射光が入力された場合の誤動作の防止をより確実にする一例を説明する。本実施の形態において実施の形態１と同一の構成要素には同一の番号を付し、その説明は適宜省略するものとする。
【００４８】
一般にユーザは赤外線リモコン発信機を映像表示装置の方向に向けてリモコン操作を行うが、誤操作、あるいは他の理由でユーザが赤外線リモコン送信機の操作をする際に、その方向を正しく映像表示装置に向けずに、図８のようにその向きが多少ずれてしまった場合は、従来技術では反射光ｈがリモコン方向であると誤認し、その結果、映像表示装置８を図中の矢印の方向に回動し、破線位置になるように制御してしまう。
【００４９】
そこで、本発明の映像表示装置においては、赤外線リモコン送信機からの赤外線リモコン信号出力の指向特性を図５のように無指向性にする。その他の構成、つまり、リモコン方向検知装置や方向制御手段、指向性制御手段、復調手段等は実施の形態１と同一であり、特に本発明の主要部であるリモコン方向検知装置の構成やその動作は共通である。
【００５０】
係る構成における本発明の実施の形態を、図５および図６を用いて説明する。
【００５１】
図５に示すように赤外線リモコン送信機１の赤外線変調パルス信号の指向性が照射方向の範囲で概略一定であるような送信特性にすることにより、赤外線リモコン送信機から送信される赤外線リモコン信号はどの方向のものでも同一の送信強度を有することになる。この無指向特性の範囲としては、赤外線リモコン送信機１の方向軸に対して一定の角度範囲が確保できればよく、図示したように６０度程度の範囲が確保できれば実用上無指向とみなすことができる。
【００５２】
図６において、１８は赤外線送信特性を示し、同一送信強度の範囲を示す。図６での矢印ｇ、ｋ、ｈは赤外線変調パルス信号の伝搬状況をイメージしており、矢印の太さは送信強度を示している。つまり矢印が太いほど送信強度が強いことを意味している。
【００５３】
図６において、赤外線リモコン発信機１の方向に発せられた赤外線光ｋは赤外線反射媒体１６で反射し、反射光ｈとしてリモコン方向検知装置１５に入射する。しかし、本実施の形態の構成では赤外線リモコン発信機１の赤外線変調パルス信号の指向性が図中１８の破線で示される範囲で一定であるので、赤外線光ｋとは異なる経路で直接光ｇがリモコン方向検知装置１５に入射する。このとき、赤外線光ｋと直接光ｇの強度は同一である。
【００５４】
ここで、直接光ｇと反射光ｈの強度を比較すると、赤外線信号が何かに反射した場合、反射することで必ず信号強度は減衰するので、反射光ｈの信号強度は直接光ｇよりも必ず低くなる。
【００５５】
この異なる２方向から赤外線が入射された以降の本発明のリモコン方向の検知と映像表示装置８の動作は上述した実施の形態１と同一である。
【００５６】
すなわち、本発明のリモコン方向検知装置は異なる方向から複数の赤外線の入射があっても、受光強度分布を検出して、そのデータから統計処理することで最大強度の結像位置に基づき前記赤外線変調パルス信号が入射する方向を検出するので、図６で示すような使用状態であっても、直接光の方向を確実に検出することができる。
【００５７】
従って、以上のような構成と動作により、反射光の影響を受けずに誤動作の少ないユーザ位置検出が可能になり、画面の向きを自動的にユーザの方向に調整することのできる映像表示装置を提供することができる。
【００５８】
なお、赤外線変調パルス信号の復調において、反射光を用いて該処理を行うと、反射時に外乱を受け不正確になっている可能性がある。そこで、方向検出手段４での方向情報を用いて復調手段７での変調パルス復調処理を行うことが好ましい。本発明では方向検出手段４で直接光ｇの入射方向を正確に検出することが可能であるので、この方向情報を用いて、直接光ｇの変調パルス信号のみを用いて復調手段６で復調処理を行う構成にすることで、反射光の影響を受けずに正確に変調パルスの復調処理を行うことが可能となる。よって、本発明の効果に加え、反射光の影響を排除した更に高精度な変調パルス復調結果が得られる。
【産業上の利用可能性】
【００５９】
本発明の映像表示装置は、ユーザの位置を検出して映像を表示する画面をユーザが見やすい状態に自動的に調整する映像表示装置に関するものである。
【図面の簡単な説明】
【００６０】
【図１】本発明の実施の形態に係る映像表示装置のブロック構成図
【図２】本発明の実施の形態に係る受光素子の受光強度分布検出特性を示す模式図
【図３】本発明の実施の形態１に係る映像表示装置の動作を示す図
【図４】本発明の実施の形態１に係る受光素子の受光強度分布を示すグラフ
【図５】本発明の実施の形態２に係る赤外線リモコン送信機の指向特性図
【図６】本発明の実施の形態２に係る映像表示装置の動作を示す図
【図７】従来例の赤外線リモコン送受信機を用いたユーザ位置検出回路のブロック図
【図８】従来技術でのユーザ方向検出での誤動作の説明図
【符号の説明】
【００６１】
１    赤外線リモコン送信機
２    光学レンズ
３    受光素子
４    方向検出手段
５    方向制御手段
６    復調手段
７    システム制御手段
８    映像表示装置
１５    リモコン方向検知装置
１６    赤外線反射媒体
１８    赤外線送信特性
ａ    赤外線変調パルス信号
ｂ    受光信号
ｃ    方向情報
ｄ    復調情報
ｅ    位置情報
ｆ    制御信号
ｇ    直接光
ｈ    反射光
【図１】
2007013536.tif 000003
【図２】
2007013536.tif 000004
【図３】
2007013536.tif 000005
【図４】
2007013536.tif 000006
【図５】
2007013536.tif 000007
【図６】
2007013536.tif 000008
【図７】
2007013536.tif 000009
【図８】
2007013536.tif 000010